(57)【要約】【課題】通話音声の音量を減衰させることなくエコーキャンセルを可能にする。【解決手段】送信側の通話端末装置１００では、マイク１５から入力された音声が受信側の通話端末装置２００に送信された後、無線通信制御部１１からデータ保持メモリ１３へのデータ転送を禁止するように設定され、タイマー部１７において、所定時間（数ｍｓ程度）の計時が開始される。この所定時間内は、通話端末装置２００から受信される音声データ（エコー音データ）は読み捨てられる。タイマー部１７により計時された時間がタイムオーバーになると、無線通信制御部１１からデータ保持メモリ１３へのデータ転送の禁止が解除される。【選択図】図１
2005184460.tif 000002
【特許請求の範囲】
【請求項１】
マイクから入力された音声を通話相手の通話端末装置に送信した後に所定時間計時する計時手段と、
前記所定時間内に前記通話相手の通話端末装置から送信された音声のレシーバからの出力を制限する制御を行う出力制御手段と、
を備えることを特徴とする通話端末装置。
【請求項２】
前記出力制御手段は、前記所定時間内に前記通話相手の通話端末装置から送信された音声の転送を停止させることにより、前記レシーバからの音声出力を制限することを特徴とする請求項１記載の通話端末装置。
【請求項３】
前記出力制御手段は、前記所定時間内に前記通話相手の通話端末装置から送信された音声が前記レシーバから出力される際に、当該レシーバに出力する音声の音量を減衰させることにより、前記レシーバからの音声出力を制限することを特徴とする請求項１記載の通話端末装置。
【請求項４】
通話相手の通話端末装置から受信された音声をレシーバから出力した後に所定時間計時する計時手段と、
前記所定時間内は、マイクからの音声入力を制限する制御を行う入力制御手段と、
を備えることを特徴とする通話端末装置。
【請求項５】
前記入力制御手段は、前記所定時間内に前記マイクに入力される音声の転送を停止することにより、当該音声の入力を制限することを特徴とする請求項４記載の通話端末装置。
【請求項６】
前記入力制御手段は、前記所定時間内に前記マイクに入力される音声の音量を減衰させることにより、当該音声の入力を制限することを特徴とする請求項４記載の通話端末装置。
【請求項７】
コンピュータに、
通話端末装置のマイクから入力された音声を通話相手の通話端末装置に送信した後に所定時間計時する機能と、
前記所定時間内に前記通話相手の通話端末装置から送信された音声のレシーバからの出力を制限する制御を行う機能と、
を実現させるためのプログラム。
【請求項８】
コンピュータに、
通話相手の通話端末装置から受信された音声をレシーバから出力した後に所定時間計時する機能と、
前記所定時間内は、マイクからの音声入力を制限する制御を行う機能と、
を実現させるためのプログラム。
【発明の詳細な説明】
【技術分野】
【０００１】
本発明は、通話端末装置及びプログラムに関する。
【背景技術】
【０００２】
通話時にスピーカやレシーバから出力された受話音がマイクに入力され、通話相手の電話機に送信されるとエコーが発生し、通話に支障をきたすことがある。ＶＯＩＰ（Voice over Internet Protocol）を使用した通話においても、エコーが発生し得る。近年、このような通話中に発生するエコーを除去するエコーキャンセル機能が搭載された電話機が普及している（例えば、特許文献１参照。）。
【特許文献１】特開平８−３２４９４号公報
【発明の開示】
【発明が解決しようとする課題】
【０００３】
しかしながら、従来の電話機におけるエコーキャンセルは、フィルタ等で音量を常に減衰させてエコーのような小さな音を聞こえないようにしていたため、通話音声の音量も常に減衰されてしまい、通話相手に本当に伝えたい音を聞き取りにくくさせるという問題があった。
【０００４】
本発明の課題は、通話音声の音量を減衰させることなくエコーキャンセルを可能にすることである。
【課題を解決するための手段】
【０００５】
請求項１に記載の発明は、マイクから入力された音声を通話相手の通話端末装置に送信した後に所定時間計時する計時手段と、前記所定時間内に前記通話相手の通話端末装置から送信された音声のレシーバからの出力を制限する制御を行う出力制御手段と、を備えることを特徴としている。
【０００６】
請求項４に記載の発明は、通話相手の通話端末装置から受信された音声をレシーバから出力した後に所定時間計時する計時手段と、前記所定時間内は、マイクからの音声入力を制限する制御を行う入力制御手段と、を備えることを特徴としている。
【０００７】
請求項７に記載の発明は、コンピュータに、通話端末装置のマイクから入力された音声を通話相手の通話端末装置に送信した後に所定時間計時する機能と、前記所定時間内に前記通話相手の通話端末装置から送信された音声のレシーバからの出力を制限する制御を行う機能と、を実現させるためのプログラムである。
【０００８】
請求項８に記載の発明は、コンピュータに、通話相手の通話端末装置から受信された音声をレシーバから出力した後に所定時間計時する機能と、前記所定時間内は、マイクからの音声入力を制限する制御を行う機能と、を実現させるためのプログラムである。
【発明の効果】
【０００９】
本発明によれば、マイクから入力された音声を通話相手の通話端末装置に送信した後、所定時間、通話相手の通話端末装置から受信した音声（エコー音）をレシーバに出力するのが制限されることにより、レシーバからのエコー音の出力を防止することが可能になる。よって、通話音声の音量を減衰させることなくエコーキャンセルが可能になる。
【００１０】
また、通話相手の通話端末装置から受信された音声がレシーバから出力された後、所定時間、マイクからの音声（エコー音）の入力が制限されることにより、通話相手の通話端末装置へのエコー音の出力を防止することが可能になる。よって、通話音声の音量を減衰させることなくエコーキャンセルが可能になる。
【発明を実施するための最良の形態】
【００１１】
以下、図を参照して、本発明の実施形態について詳細に説明する。
（実施形態１）
図１及び図２を参照して、本発明の実施形態１について詳細に説明する。まず、実施形態１における構成について説明する。
【００１２】
図１に、実施形態１の通話システム１の構成を示す。通話システム１は、図１に示すように、通話端末装置１００と、通話端末装置２００により構成される。通話端末装置１００は、アクセスポイント３０を介して通信ネットワークＮに接続され、通話端末装置２００は、アクセスポイント４０を介して通信ネットワークＮに接続される。ここで、通信ネットワークＮとは、例えば、ＬＡＮ（Local Area Network）、ＷＡＮ（Wide Area Network）等により構成される通信回線網である。本実施形態１では、通話端末装置１００を送信側の端末、通話端末装置２００を受信側の端末とする。
【００１３】
次に、実施形態１の通話端末装置１００の主要部構成について説明する。通話端末装置１００は、図１に示すように、ＣＰＵ（Central Processing Unit）１０、無線通信制御部１１、ＲＯＭ（Read Only Memory）１２、データ保持メモリ１３、ＣＯＤＥＣ（COder/DECoder）１４、マイク１５、レシーバ１６、タイマー部１７により構成される。
【００１４】
ＣＰＵ１０は、ＲＯＭ１２に格納されている各種制御処理プログラムに従って通話端末装置１００の各部を制御する。以下、ＣＰＵ１０による制御動作について説明する。
【００１５】
ＣＰＵ１０は、マイク１５から入力された音声が受信側の通話端末装置２００に送信された後、無線通信制御部１１からデータ保持メモリ１３へのデータ転送を禁止するように設定し、タイマー部１７に対し、所定時間（数ｍｓ程度）の計時を指示する信号を出力する。また、ＣＰＵ１０は、タイマー部１７により計時された時間がタイムオーバーになると、無線通信制御部１１からデータ保持メモリ１３へのデータ転送の禁止を解除する。
【００１６】
無線通信制御部１１は、所定の通信方式（例えば、スペクトラム拡散通信方式（spread spectrum communication））により、通信ネットワークＮとの通信を制御する。また、無線通信制御部１１は、ＣＰＵ１０からの制御信号に従って、タイマー部１７により計時が開始されてから所定時間内は、受信された音声データを読み捨てる処理を行う。
【００１７】
ＲＯＭ１２は、ＣＰＵ１０で実行される各種制御処理プログラム、これらのプログラムで使用されるデータを格納している。
【００１８】
データ保持メモリ１３は、ＣＰＵ１０による各種制御処理プログラムの実行時に生じる処理結果等のデータを一時的に格納する。
【００１９】
ＣＯＤＥＣ１４は、マイク１５から入力された音声アナログ信号をデジタル信号に変換し、データ保持メモリ１３に出力する。また、ＣＯＤＥＣ１４は、データ保持メモリ１３に格納された音声データ（デジタル信号）をアナログ信号に変換し、レシーバ１６に出力する。
【００２０】
マイク１５は、外部から入力された音声を音声信号に変換し、ＣＯＤＥＣ１４に出力する。レシーバ１６は、ＣＯＤＥＣ１４から入力された音声信号を外部に出力する。
【００２１】
タイマー部１７は、ＣＰＵ１０からの制御信号に従って、マイク１５から入力された音声が受信側の通話端末装置２００に送信された後、所定時間計時し、計時結果をＣＰＵ１０に出力する。
【００２２】
次に、実施形態１の通話端末装置２００の主要部構成について説明する。通話端末装置２００は、図１に示すように、ＣＰＵ２０、無線通信制御部２１、ＲＯＭ２２、データ保持メモリ２３、ＣＯＤＥＣ２４、マイク２５、レシーバ２６により構成される。
【００２３】
ＣＰＵ２０は、ＲＯＭ２２に格納されている各種制御処理プログラムに従って通話端末装置１００の各部を制御する。
【００２４】
無線通信制御部２１は、所定の通信方式（例えば、スペクトラム拡散通信方式（spread spectrum communication））により、通信ネットワークＮとの通信を制御する。
【００２５】
ＲＯＭ２２は、ＣＰＵ２０で実行される各種制御処理プログラム、これらのプログラムで使用されるデータを格納している。
【００２６】
データ保持メモリ２３は、ＣＰＵ２０による各種制御処理プログラムの実行時に生じる処理結果等のデータを一時的に格納する。
【００２７】
ＣＯＤＥＣ２４は、マイク２５から入力された音声アナログ信号をデジタル信号に変換し、データ保持メモリ２３に出力する。また、ＣＯＤＥＣ２４は、データ保持メモリ２３に格納された音声データ（デジタル信号）をアナログ信号に変換し、レシーバ２６に出力する。
【００２８】
マイク２５は、外部から入力された音声を音声信号に変換し、ＣＯＤＥＣ２４に出力する。レシーバ２６は、ＣＯＤＥＣ２４から入力された音声信号を外部に出力する。
【００２９】
次に、実施形態１における動作について説明する。
図２を参照して、実施形態１の通話システム１において実行される通話処理について説明する。
【００３０】
まず、図２（ａ）のフローチャートを参照して、送信側の端末である通話端末装置１００により実行される処理について説明する。
【００３１】
マイク１５から音声が入力されると、ＣＯＤＥＣ１４により入力音声がデジタル信号に変換され、データ保持メモリ１３に格納される（ステップＳ１０）。次いで、データ保持メモリ１３に格納された音声データが無線通信制御部１１に転送され（ステップＳ１１）、その音声データが受信側の通話端末装置２００に送信される（ステップＳ１２）。
【００３２】
音声データが通話端末装置２００に送信されると、無線通信制御部１１からデータ保持メモリ１３へのデータ転送を禁止するように設定され（ステップＳ１３）、タイマー部１７において、所定時間の計時が開始される（ステップＳ１４）。
【００３３】
タイマー部１７により計時が開始されてから所定時間内に（ステップＳ１７：ＮＯ）、通話端末装置２００から音声データが受信された場合（ステップＳ１５）、その受信された音声データは読み捨てられる（ステップＳ１６）。タイマー部１７により計時された時間がタイムオーバーになると（ステップＳ１７；ＹＥＳ）、無線通信制御部１１からデータ保持メモリ１３へのデータ転送の禁止が解除され（ステップＳ１８）、通話端末装置２００から受信された音声データが無線通信制御部１１からデータ保持メモリ１３に転送される。
【００３４】
次に、図２（ｂ）のフローチャートを参照して、受信側の端末である通話端末装置２００により実行される処理について説明する。
【００３５】
通話端末装置１００から音声データが受信されると（ステップＲ１０）、受信された音声データがデータ保持メモリ２３に格納される（ステップＲ１１）。次いで、データ保持メモリ２３に格納された音声データがＣＯＤＥＣ２４に転送され（ステップＲ１２）、その転送された音声データがＣＯＤＥＣ２４によりアナログ信号に変換され、レシーバ２６に出力される（ステップＲ１３）。
【００３６】
レシーバ２６から出力された音声がマイク２５に入力されると（ステップＲ１４）、エコー音が生成される。このエコー音は、ＣＯＤＥＣ２４によりデジタル信号に変換され、データ保持メモリ２３に格納される（ステップＲ１５）。
【００３７】
次いで、データ保持メモリ２３に格納されたエコー音データが無線通信制御部２１に転送され（ステップＲ１６）、送信側の通話端末装置１００に送信される（ステップＲ１７）。
【００３８】
以上のように、本実施形態１の通話端末装置１００によれば、マイク１５に入力された音声を、受信側の通話端末装置２００に送信した後、所定時間、通話端末装置２００から受信した音声（エコー音）を読み捨てるようにしたことにより、レシーバ１６からのエコー音の出力を防止することが可能になる。よって、通話音声の音量を減衰させることなくエコーキャンセルが可能になる。
【００３９】
（実施形態２）
次に、図３及び図４を参照して、本発明の実施形態２について詳細に説明する。まず、実施形態２における構成について説明する。
【００４０】
図３に、実施形態２の通話システム２の構成を示す。通話システム２は、図３に示すように、通話端末装置１０１と、通話端末装置２００により構成される。通話端末装置１０１は、アクセスポイント３０を介して通信ネットワークＮに接続され、通話端末装置２００は、アクセスポイント４０を介して通信ネットワークＮに接続される。本実施形態２では、通話端末装置１０１を送信側の端末、通話端末装置２００を受信側の端末とする。
【００４１】
まず、実施形態２の通話端末装置１０１の主要部構成について説明する。なお、以下では、実施形態１の通話端末装置１００と同一の構成部分には同一の符号を用い、実施形態１の通話端末装置１００と機能が異なる構成部分のみを説明する。
【００４２】
通話端末装置１０１は、図３に示すように、ＣＰＵ１０、無線通信制御部１１、ＲＯＭ１２、データ保持メモリ１３、ＣＯＤＥＣ１４、マイク１５、レシーバ１６、タイマー部１７、音量調整部１８により構成される。
【００４３】
ＣＰＵ１０は、ＲＯＭ１２に格納されている各種制御処理プログラムに従って通話端末装置１０１の各部を制御する。以下、ＣＰＵ１０による制御動作について説明する。
【００４４】
ＣＰＵ１０は、マイク１５から入力された音声が受信側の通話端末装置２００に送信された後、音量調整部１８に対し、レシーバ１６に出力する音声の音量を現在より小さく設定するように指示し、タイマー部１７に対し、所定時間（数ｍｓ程度）の計時を指示する信号を出力する。また、ＣＰＵ１０は、タイマー部１７により計時された時間がタイムオーバーになると、音量調整部１８に対し、設定された音量の調整を解除する（即ち、音量を元に戻す）ように指示する。
【００４５】
無線通信制御部１１は、所定の通信方式（例えば、スペクトラム拡散通信方式（spread spectrum communication））により、通信ネットワークＮとの通信を制御する。
【００４６】
音量調整部１８は、ＣＰＵ１０からの制御信号に従って、ＣＯＤＥＣ１４から入力されレシーバ１６に出力する音声の音量を調整する。
【００４７】
実施形態２における受信側の通話端末装置２００の構成及び機能は、実施形態１において図１に示した通話端末装置２００と同一ゆえ、同一の符号を用い、ここでの機能説明は省略する。
【００４８】
次に、実施形態２における動作について説明する。
図４を参照して、実施形態２の通話システム２において実行される通話処理について説明する。
【００４９】
まず、図４（ａ）のフローチャートを参照して、送信側の端末である通話端末装置１０１により実行される処理について説明する。
【００５０】
マイク１５から音声が入力されると、ＣＯＤＥＣ１４により入力音声がデジタル信号に変換され、データ保持メモリ１３に格納される（ステップＳ２０）。次いで、データ保持メモリ１３に格納された音声データが無線通信制御部１１に転送され（ステップＳ２１）、その音声データが受信側の通話端末装置２００に送信される（ステップＳ２２）。
【００５１】
音声データが通話端末装置２００に送信されると、レシーバ１６に出力する音声の音量が現在より小さく設定され（ステップＳ２３）、タイマー部１７において、所定時間の計時が開始される（ステップＳ２４）。
【００５２】
タイマー部１７により計時された所定時間内に（ステップＳ２７：ＮＯ）、通話端末装置２００から音声データが受信された場合（ステップＳ２５）、その受信された音声データをレシーバ１６に出力するときの音量が、ステップＳ２３において設定された音量に調整される（ステップＳ２６）。タイマー部１７により計時された時間がタイムオーバーになると（ステップＳ２７；ＹＥＳ）、ステップＳ２３で設定された音量の調整が解除される（ステップＳ２８）。
【００５３】
次に、図４（ｂ）のフローチャートを参照して、受信側の端末である通話端末装置２００により実行される処理について説明する。
【００５４】
通話端末装置１０１から音声データが受信されると（ステップＲ２０）、受信された音声データがデータ保持メモリ２３に格納される（ステップＲ２１）。次いで、データ保持メモリ２３に格納された音声データがＣＯＤＥＣ２４に転送され（ステップＲ２２）、その転送された音声データがＣＯＤＥＣ２４によりアナログ信号に変換され、レシーバ２６に出力される（ステップＲ２３）。
【００５５】
レシーバ２６から出力された音声がマイク２５に入力されると（ステップＲ２４）、エコー音が生成される。このエコー音は、ＣＯＤＥＣ２４によりデジタル信号に変換され、データ保持メモリ２３に格納される（ステップＲ２５）。
【００５６】
次いで、データ保持メモリ２３に格納されたエコー音データが無線通信制御部２１に転送され（ステップＲ２６）、送信側の通話端末装置１０１に送信される（ステップＲ２７）。
【００５７】
以上のように、本実施形態２の通話端末装置１０１によれば、マイク１５に入力された音声を、受信側の通話端末装置２００に送信した後、所定時間、通話端末装置２００から受信した音声（エコー音）をレシーバ１６に出力するときの音量を下げることにより、所定期間内にレシーバ１６から出力されるエコー音の音量を小さくすることが可能になる。よって、通話音声の音量を減衰させることなくエコーキャンセルが可能になる。
【００５８】
（実施形態３）
次に、図５及び図６を参照して、本発明の実施形態３について詳細に説明する。まず、実施形態３における構成について説明する。
【００５９】
図５に、実施形態３の通話システム３の構成を示す。通話システム３は、図５に示すように、通話端末装置１０２と、通話端末装置２０１により構成される。通話端末装置１０２は、アクセスポイント３０を介して通信ネットワークＮに接続され、通話端末装置２０１は、アクセスポイント４０を介して通信ネットワークＮに接続される。本実施形態３では、通話端末装置１０２を送信側の端末、通話端末装置２０１を受信側の端末とする。
【００６０】
まず、実施形態３の通話端末装置１０２の主要部構成について説明する。なお、以下では、実施形態１の通話端末装置１００と同一の構成部分には同一の符号を用い、実施形態１の通話端末装置１００と機能が異なる構成部分のみを説明する。
【００６１】
通話端末装置１０１は、図５に示すように、ＣＰＵ１０、無線通信制御部１１、ＲＯＭ１２、データ保持メモリ１３、ＣＯＤＥＣ１４、マイク１５、レシーバ１６により構成される。
【００６２】
実施形態３の通話端末装置１０２のＣＰＵ１０は、ＲＯＭ１２に格納されている各種制御処理プログラムに従って通話端末装置１０２の各部を制御する。
【００６３】
無線通信制御部１１は、所定の通信方式（例えば、スペクトラム拡散通信方式（spread spectrum communication））により、通信ネットワークＮとの通信を制御する。
【００６４】
次に、実施形態３の通話端末装置２０１の主要部構成について説明する。なお、以下では、実施形態１の通話端末装置２００と同一の構成部分には同一の符号を用い、実施形態１の通話端末装置２００と機能が異なる構成部分のみを説明する。
【００６５】
通話端末装置２０１は、図５に示すように、ＣＰＵ２０、無線通信制御部２１、ＲＯＭ２２、データ保持メモリ２３、ＣＯＤＥＣ２４、マイク２５、レシーバ２６、タイマー部２７により構成される。
【００６６】
ＣＰＵ２０は、ＲＯＭ２２に格納されている各種制御処理プログラムに従って通話端末装置２０１の各部を制御する。以下、ＣＰＵ２０による制御動作について説明する。
【００６７】
ＣＰＵ２０は、通話端末装置１０２から受信された音声をレシーバ２６から出力した後、データ保持メモリ２３から無線通信制御部２１へのデータ転送を禁止するように設定し、タイマー部２７に対し、所定時間（数ｍｓ程度）の計時を指示する信号を出力する。また、ＣＰＵ２０は、タイマー部２７により計時された時間がタイムオーバーになると、データ保持メモリ２３から無線通信制御部２１へのデータ転送の禁止を解除する。
【００６８】
データ保持メモリ２３は、ＣＰＵ２０による各種制御処理プログラムの実行時に生じる処理結果等のデータを一時的に格納する。また、データ保持メモリ２３は、ＣＰＵ２０からの制御信号に従って、タイマー部２７により計時が開始されてから所定時間内は、格納された音声データ（エコー音データ）を削除する。
【００６９】
タイマー部２７は、ＣＰＵ２０からの制御信号に従って、通話端末装置１０２から受信された音声をレシーバ２６から出力した後、所定時間計時し、計時結果をＣＰＵ２０に出力する。
【００７０】
次に、実施形態３における動作について説明する。
図６を参照して、実施形態３の通話システム３において実行される通話処理について説明する。
【００７１】
まず、図６（ａ）のフローチャートを参照して、送信側の端末である通話端末装置１０２により実行される処理について説明する。
【００７２】
マイク１５から音声が入力されると、ＣＯＤＥＣ１４により入力音声がデジタル信号に変換され、データ保持メモリ１３に格納される（ステップＳ３０）。次いで、データ保持メモリ１３に格納された音声データが無線通信制御部１１に転送され（ステップＳ３１）、その音声データが受信側の通話端末装置２０１に送信される（ステップＳ３２）。
【００７３】
次に、図６（ｂ）のフローチャートを参照して、受信側の端末である通話端末装置２０１により実行される処理について説明する。
【００７４】
通話端末装置１０２から音声データが受信されると（ステップＲ３００）、受信された音声データがデータ保持メモリ２３に格納される（ステップＲ３０１）。次いで、データ保持メモリ２３に格納された音声データがＣＯＤＥＣ２４に転送される（ステップＲ３０２）。
【００７５】
次いで、受信された音声データがＣＯＤＥＣ２４によりアナログ信号に変換され、レシーバ２６に出力されるともに（ステップＲ３０３）、データ保持メモリ２３から無線通信制御部２１へのデータ転送を禁止するように設定され（ステップＲ３０６）、タイマー部２７において、所定時間の計時が開始される（ステップＲ３０７）。
【００７６】
レシーバ２６から出力された音声がマイク２５に入力されると（ステップＲ３０４）、エコー音が生成される。このエコー音は、ＣＯＤＥＣ２４によりデジタル信号に変換され、データ保持メモリ２３に格納される（ステップＲ３０５）。
【００７７】
タイマー部２７により計時が開始されてから所定時間内に（ステップＲ３０９：ＮＯ）データ保持メモリ２３に格納された音声データ（エコー音データ）は、データ保持メモリ２３から削除される（ステップＲ３０８）。タイマー部２７により計時された時間がタイムオーバーになると（ステップＲ３０９；ＹＥＳ）、データ保持メモリ２３から無線通信制御部２１へのデータ転送の禁止が解除され（ステップＲ３１０）、データ保持メモリ２３に格納された音声データが無線通信制御部１１に転送される。
【００７８】
以上のように、本実施形態３の通話端末装置２０１によれば、通話端末装置１０２から受信された音声がレシーバ２６から出力された後、所定時間、マイク２５から入力される音声（エコー音）を削除して、データ保持メモリ２３から無線通信制御部２１へのエコー音データの転送を禁止するようにしたことにより、送信側の通話端末装置１０２へのエコー音の出力を防止することが可能になる。よって、通話音声の音量を減衰させることなくエコーキャンセルが可能になる。
【００７９】
（実施形態４）
次に、図７及び図８を参照して、本発明の実施形態４について詳細に説明する。まず、実施形態４における構成について説明する。
【００８０】
図７に、実施形態４の通話システム４の構成を示す。通話システム４は、図７に示すように、通話端末装置１０２と、通話端末装置２０２により構成される。通話端末装置１０２は、アクセスポイント３０を介して通信ネットワークＮに接続され、通話端末装置２０２は、アクセスポイント４０を介して通信ネットワークＮに接続される。本実施形態４では、通話端末装置１０２を送信側の端末、通話端末装置２０２を受信側の端末とする。
【００８１】
実施形態４における送信側の通話端末装置１０２の構成及び機能は、実施形態３において図５に示した通話端末装置１０２と同一ゆえ、同一の符号を用い、ここでの機能説明は省略する。
【００８２】
次に、実施形態４の通話端末装置２０２の主要部構成について説明する。なお、以下では、実施形態３の通話端末装置２０１と同一の構成部分には同一の符号を用い、実施形態３の通話端末装置２０１と機能が異なる構成部分のみを説明する。
【００８３】
通話端末装置２０２は、図７に示すように、ＣＰＵ２０、無線通信制御部２１、ＲＯＭ２２、データ保持メモリ２３、ＣＯＤＥＣ２４、マイク２５、レシーバ２６、タイマー部２７、音量調整部２８により構成される。
【００８４】
ＣＰＵ２０は、ＲＯＭ２２に格納されている各種制御処理プログラムに従って通話端末装置２０２の各部を制御する。以下、ＣＰＵ２０による制御動作について説明する。
【００８５】
ＣＰＵ２０は、通話端末装置１０２から受信された音声がレシーバ２６から出力された後、音量調整部２８に対し、マイク２５から入力される音声の音量を現在より小さく設定するように指示し、タイマー部２７に対し、所定時間の計時を指示する信号を出力する。また、ＣＰＵ２０は、タイマー部２７により計時された時間がタイムオーバーになると、音量調整部２８に対し、設定された音量の調整を解除する（即ち、音量を元に戻す）ように指示する。
【００８６】
データ保持メモリ２３は、ＣＰＵ２０による各種制御処理プログラムの実行時に生じる処理結果等のデータを一時的に格納する。
【００８７】
次に、実施形態４における動作について説明する。
図８を参照して、実施形態４の通話システム４において実行される通話処理について説明する。
【００８８】
まず、図８（ａ）のフローチャートを参照して、送信側の端末である通話端末装置１０２により実行される処理について説明する。
【００８９】
マイク１５から音声が入力されると、ＣＯＤＥＣ１４により入力音声がデジタル信号に変換され、データ保持メモリ１３に格納される（ステップＳ４０）。次いで、データ保持メモリ１３に格納された音声データが無線通信制御部１１に転送され（ステップＳ４１）、その音声データが受信側の通話端末装置２０２に送信される（ステップＳ４２）。
【００９０】
次に、図８（ｂ）のフローチャートを参照して、受信側の端末である通話端末装置２０２により実行される処理について説明する。
【００９１】
通話端末装置１０２から音声データが受信されると（ステップＲ４０）、受信された音声データがデータ保持メモリ２３に格納される（ステップＲ４１）。次いで、データ保持メモリ２３に格納された音声データがＣＯＤＥＣ２４に転送される（ステップＲ４２）。
【００９２】
次いで、受信された音声データがＣＯＤＥＣ２４によりアナログ信号に変換され、レシーバ２６に出力されるともに（ステップＲ４３）、音量調整部２８において、マイク２５から入力される音声の音量が現在より小さく設定され（ステップＲ４５）、タイマー部２７において、所定時間の計時が開始される（ステップＲ４６）。
【００９３】
レシーバ２６から出力された音声がマイク２５に入力されると（ステップＲ４４）、エコー音が生成される。タイマー部２７により計時が開始されてから所定時間内は（ステップＲ４８：ＮＯ）、マイク２５から入力された音声（エコー音）は、ステップＲ４５で設定された音量に調整される（ステップＲ４７）。タイマー部２７により計時された時間がタイムオーバーになると（ステップＲ４８；ＹＥＳ）、ステップＲ４５で設定された音量の調整が解除される（ステップＲ４９）。
【００９４】
以上のように、本実施形態４の通話端末装置２０２によれば、通話端末装置１０２から受信された音声がレシーバ２６から出力された後、所定時間、マイク２５から入力される音声（エコー音）の音量を下げることにより、所定時間内に送信側の通話端末装置１０２に出力するエコー音の音量を小さくすることが可能になる。よって、通話音声の音量を減衰させることなくエコーキャンセルが可能になる。
【００９５】
なお、上記各実施形態における記述内容は、本発明の趣旨を逸脱しない範囲で適宜変更可能である。
【図面の簡単な説明】
【００９６】
【図１】実施形態１の通話システムの構成を示すブロック図。
【図２】実施形態１の通話システムにおいて実行される通話処理を示すフローチャート。
【図３】実施形態２の通話システムの構成を示すブロック図。
【図４】実施形態２の通話システムにおいて実行される通話処理を示すフローチャート。
【図５】実施形態３の通話システムの構成を示すブロック図。
【図６】実施形態３の通話システムにおいて実行される通話処理を示すフローチャート。
【図７】実施形態４の通話システムの構成を示すブロック図。
【図８】実施形態４の通話システムにおいて実行される通話処理を示すフローチャート。
【符号の説明】
【００９７】
１、２、３、４  通話システム
１０、２０  ＣＰＵ
１１、２１  無線通信制御部
１２、２２  ＲＯＭ
１３、２３  データ保持メモリ
１４、２４  ＣＯＤＥＣ
１５、２５  マイク
１６、２６  レシーバ
１７、２７  タイマー部
１８、２８  音声調整部
３０、４０  アクセスポイント
１００、１０１、１０２、２００、２０１、２０２  通話端末装置
Ｎ  通信ネットワーク
【図１】
2005184460.tif 000003
【図２】
2005184460.tif 000004
【図３】
2005184460.tif 000005
【図４】
2005184460.tif 000006
【図５】
2005184460.tif 000007
【図６】
2005184460.tif 000008
【図７】
2005184460.tif 000009
【図８】
2005184460.tif 000010